(57)【特許請求の範囲】
【請求項１】
対向配置される一対の基板と、両基板上に設けられ、液晶層を挟んで互いに重なり合って表示領域を形成する一対の透明電極とを備える液晶表示素子であって、両透明電極の表示領域に合致する部分に、夫々、細長形状のスリットがスリット長手方向に間隔を存して、且つ、一方の透明電極のスリットと他方の透明電極のスリットとがスリット短手方向に交互に配置されるように複数形成されるものにおいて、
スリット長手方向の複数のスリットの並びをスリット列として、一方の透明電極の各スリット列に属するスリット間の各間隔部と、該各スリット列に対しスリット短手方向に隣接する他方の透明電極の各スリット列に属するスリット間の各間隔部とのスリット長手方向における相対位置関係が不揃いになるように各透明電極のスリットが形成されていることを特徴とする液晶表示素子。
【請求項２】
対向配置される一対の基板と、両基板上に設けられ、液晶層を挟んで互いに重なり合って表示領域を形成する一対の透明電極とを備える液晶表示素子であって、両透明電極の表示領域に合致する部分に、夫々、細長形状のスリットがスリット長手方向に間隔を存して、且つ、一方の透明電極のスリットと他方の透明電極のスリットとがスリット短手方向に交互に配置されるように複数形成されるものにおいて、
スリットの長さにスリット間の間隔部の長さを加えた長さをスリットピッチとして、両透明電極の一方の透明電極のスリットピッチと他方の透明電極のスリットピッチとが互いに異なることを特徴とする液晶表示素子。
【請求項３】
前記両透明電極の一方の透明電極のスリットピッチが他方の透明電極のスリットピッチの整数以外の倍率の長さに設定されることを特徴とする請求項２記載の液晶表示素子。
【請求項４】
前記倍率は１．１倍から１０倍までの範囲内の整数を除く値であることを特徴とする請求項３記載の液晶表示素子。
【請求項５】
前記倍率は１．４倍から５倍までの範囲内の整数を除く値であることを特徴とする請求項４記載の液晶表示素子。
【請求項６】
前記スリットの長手方向の長さに前記スリット間の間隔部の長さを加えた長さをスリットピッチとして、前記両透明電極の一方の透明電極に、他方の透明電極のスリットピッチに対するスリットピッチの倍率が所定範囲内で互いに異なる複数種のスリットが混在して形成されることを特徴とする請求項１記載の液晶表示素子。
【請求項７】
前記所定範囲は１．４倍から５倍までの範囲であることを特徴とする請求項６記載の液晶表示素子。
【請求項８】
前記スリットの長手方向の長さに前記スリット間の間隔部の長さを加えた長さをスリットピッチとして、前記両透明電極に、夫々、スリットピッチが互いに異なる複数種のスリットが混在して形成されることを特徴とする請求項１記載の液晶表示素子。
【発明の詳細な説明】
【技術分野】
【０００１】
本発明は、視角特性を改善した液晶表示素子に関する。
【背景技術】
【０００２】
従来、この種の液晶表示素子として特許文献１に記載のものが知られている。この液晶表示素子は、図６に示す如く、対向配置される背面側と前面側の一対の基板１，２と、両基板１，２上に設けられ、液晶層３を挟んで重なり合って表示領域を形成する背面側と前面側の一対の透明電極４，５とを備える。そして、図８に示す如く、両透明電極４，５の表示領域に合致する部分に、夫々、細長形状のスリット６，７がスリット長手方向に間隔を存して、且つ、背面側透明電極４のスリット６と前面側透明電極５のスリット７とがスリット短手方向に交互に配置されるように複数形成されている。尚、スリット６，７をスリット長手方向に間隔を存して形成するのは、スリット間の間隔部６ａ，７ａを通電部にして電極抵抗値を下げるためである。
【０００３】
このものでは、電圧印加時に、背面側と前面側の両透明電極４，５間に、図６に点線で示す如く、各スリット６，７を境にして傾き方向が逆になる斜め電界が発生する。そして、液晶層３が垂直配向型であれば、図７に示す如く、液晶分子８は各スリット６，７を境にして逆方向に倒れ込むことになり、所謂２ドメイン配向構造が実現できる。また、液晶層３がＴＮ型等の水平配向型であれば、液晶分子は各スリットを境にして逆方向から立上ることになり、この場合も２ドメイン配向構造が実現されて視角特性が改善される。
【０００４】
然し、このものでは、高温雰囲気下で長時間通電し続けると表示不良を生じやすくなる。図９は液晶層３をＴＮ型にしたときの上記従来例の液晶表示素子の表示不良部分を示す図である。図中６´，７´はスリット６，７に対応する暗部である。尚、この液晶表示素子では、低プレチルト角配向膜を用いると共に、片側の基板のラビング方向を通常とは逆方向にして、液晶層の厚さ方向に対して液晶分子をスプレイ配向させることにより、厚さ方向中央部の液晶分子のプレチルト角が０°になるようにして、２ドメイン配向が安定して得られるようにしている。
【０００５】
図９の円で囲った部分では、スリット長手方向に隣接するスリットを結ぶようにして現われる本来のディスクリネーションラインＤ１に代わり、スリット短手方向に隣接するスリットのエッジ間を結ぶディスクリネーションラインＤ２が現われている。この原因を、背面側透明電極のスリット間の間隔部と前面側透明電極のスリット間の間隔部とを結ぶ部分における液晶分子の配向の様子を模式的に示した図１０を参照して説明する。この部分は、本来は、図１０に示すように、液晶分子８が右方向から立上る領域ａ１と液晶分子８が左方向から立上る領域ａ２との２ドメイン配向になっており、その境界部では液晶分子８の配向が連続的に変化し、厚さ方向中央部の液晶分子８のチルト角が０°となる部分を中心にしてスリット長手方向に隣接するスリットを結ぶディスクリネーションラインＤ１が形成される。
【０００６】
ここで、背面側基板１に対するプレチルト角θ１と前面側基板２に対するプレチルト角θ２とが等しければ、厚さ方向中央のプレチルト角が０°の液晶分子８を中心に対称なスプレイ配向になるため、領域ａ１と領域ａ２の液晶分子８の弾性変形による自由エネルギーは等しくなり、ディスクリネーションラインＤ１は時間が経過しても動かずに安定する。一方、背面側と前面側の各基板１，２に対するプレチルト角θ１，θ２がラビング条件の微妙なずれ等により異なってしまった場合、例えば図１０のようにθ２＞θ１になってしまった場合は、領域ａ１と領域ａ２の自由エネルギーは等しくならず、プレチルト角が大きい方に立上る領域ａ２の方が自由エネルギーが小さくなり、領域ａ１より安定になる。このような状態になると、液晶分子配列はより安定な状態に遷移しようとするため、図１０の矢印で示すようにディスクリネーションラインＤ１の移動を生じて、領域ａ１は時間の経過とともに小さくなり、やがて領域ａ２に埋め尽くされてしまう。その結果、スリット短手方向に隣接するスリットのエッジ間を結ぶディスクリネーションラインＤ２から成る表示不良が発生する。特に、高温化では液晶分子の弾性定数が小さくなる上に液晶分子の揺らぎも大きくなるため、このような表示不良が数多く発生し、その影響で表示のざらつき感が発生する。
【０００７】
かかる不具合を解消するため、特許文献２により、背面側と前面側の一方の透明電極のスリットを他方の透明電極のスリットに対しスリット長手方向に半ピッチずらして形成した液晶表示素子も知られている。このものでは、背面側透明電極のスリット間の各間隔部と前面側透明電極のスリット間の各間隔部とが互いにスリット長手方向に半ピッチずれて、表示不良が発生しにくくなる。然し、テストを行った結果、ごく稀ではあるが表示不良が発生することが判明した。
【特許文献１】特開２００４−２５２２９８号公報
【特許文献２】特開２００５−４３６９６号公報
【発明の開示】
【発明が解決しようとする課題】
【０００８】
本発明は、以上のことから、両透明電極に、スリットをスリット長手方向に間隔を存して、且つ、一方の透明電極のスリットと他方の透明電極のスリットとがスリット短手方向に交互に配置されるように形成する液晶表示素子では表示不良の発生が不可避であると考え、表示不良が発生してもこれを視認し難くして、表示品位の悪化を防止できるようにした液晶表示素子を提供することをその課題としている。
【課題を解決するための手段】
【０００９】
本発明は、対向配置される一対の基板と、両基板上に設けられ、液晶層を挟んで互いに重なり合って表示領域を形成する一対の透明電極とを備える液晶表示素子であって、両透明電極の表示領域に合致する部分に、夫々、細長形状のスリットがスリット長手方向に間隔を存して、且つ、一方の透明電極のスリットと他方の透明電極のスリットとがスリット短手方向に交互に配置されるように複数形成されるものにおいて、上記課題を解決するために、以下の事項を採用したことを特徴とする。即ち、本発明は、スリット長手方向の複数のスリットの並びをスリット列として、一方の透明電極の各スリット列に属するスリット間の各間隔部と、該各スリット列に対しスリット短手方向に隣接する他方の透明電極の各スリット列に属するスリット間の各間隔部とのスリット長手方向における相対位置関係が不揃いになるように各透明電極のスリットが形成されていることを特徴とする。
【００１０】
本願発明者は様々な配列で発生する表示不良を観察した結果、規則正しい配列で発生する表示不良ほど表示のざらつき感が大きくなることを知見するに至った。上記特許文献１記載のものにおいて、一方の透明電極の各スリット列に属するスリット間の各間隔部と、該各スリット列に対しスリット短手方向に隣接する他方の透明電極の各スリット列に属するスリット間の各間隔部とのスリット長手方向における相対位置関係は、前者の各間隔部と後者の各間隔部とが全て等間隔でスリット長手方向にずれなく配置される点で揃っている。また、上記特許文献２に記載のものにおいても、一方の透明電極の各スリット列に属するスリット間の各間隔部と、該各スリット列に対しスリット短手方向に隣接する他方の透明電極の各スリット列に属するスリット間の各間隔部とのスリット長手方向における相対位置関係は、前者の各間隔部と後者の各間隔部とが全てスリット長手方向に半ピッチずれている点で揃っている。そのため、特許文献１，２の何れに記載のものにおいても、表示不良が等間隔の規則正しい配列で発生する可能性がある。
【００１１】
これに対し、本発明では、一方の透明電極の各スリット列に属するスリット間の各間隔部と、該各スリット列に対しスリット短手方向に隣接する他方の透明電極の各スリット列に属するスリット間の各間隔部とのスリット長手方向における相対位置関係が不揃いであるため、表示不良が発生しても、表示不良の配列は不規則になる。その結果、表示不良が規則正しい配列で発生した場合に比較して、表示のざらつき感は小さくなり、表示品位の悪化が抑制される。尚、一方の透明電極の各スリット列に属するスリット間の各間隔部と、該各スリット列に対しスリット短手方向に隣接する他方の透明電極の各スリット列に属するスリット間の各間隔部とのスリット長手方向における相対位置関係が不揃いであるとは、前者の各間隔部と後者の各間隔部とのスリット長手方向のずれ量が少なくとも一部において他部と異なっていることを意味する。
【００１２】
また、本発明は、スリットの長さにスリット間の間隔部の長さを加えた長さをスリットピッチとして、両透明電極の一方の透明電極のスリットピッチと他方の透明電極のスリットピッチとが互いに異なることを特徴とする。
【００１３】
ここで、各透明電極に形成するスリットのスリットピッチが各透明電極毎に全て同一である場合、一方の透明電極のスリットピッチが他方の透明電極のスリットピッチの整数倍の長さであると、上記相対位置関係が揃ってしまう。但し、表示不良はスリットのエッジを起点にして発生するため、一方の透明電極のスリットピッチが他方の透明電極のスリットピッチの２以上の整数倍の長さであれば、発生する表示不良の絶対数が減少し、表示品位の悪化が抑制される。
【００１４】
一方の透明電極のスリットピッチを他方の透明電極のスリットピッチの整数以外の倍率の長さに設定すれば、上記相対位置関係を不揃いにすることができ、表示不良が発生しても、表示不良の配列は不規則になって、視認し難くなる。また、実験的に求めた結果であるが、倍率は１．１倍から１０倍までの範囲内の整数を除く値にすることが適当であり、より好ましくは、１．４倍から５倍までの範囲内の整数を除く値にすべきである。
【００１５】
また、一方の透明電極に、他方の透明電極のスリットピッチに対するスリットピッチの倍率が所定範囲内で互いに異なる複数種のスリットを混在して形成することも有効である。この場合、複数種のスリットのうちの一部であれば、他方の透明電極のスリットピッチに対するスリットピッチの倍率が整数のスリットが含まれていても良い。また、所定範囲は１．４倍から５倍までの範囲とすることが望ましい。尚、複数種のスリットを混在して形成する形態としては、複数種のスリットをスリットピッチの長さの順番に配列する形態と、スリットピッチの長さに関係なくランダムに配列する形態とが挙げられる。
【００１６】
また、他方の透明電極に形成するスリットのスリットピッチを全て同一にせずに、両透明電極に、夫々、スリットピッチが互いに異なる複数種のスリットを混在して形成することも有効である。この場合、一方の透明電極の複数種のスリットの一部又は全部のスリットのスリットピッチが他方の透明電極の複数種のスリットのスリットピッチの一部又は全部のスリットピッチと等しくても、複数種のスリットをスリットピッチの長さに関係なくランダムに配列することで上記相対位置関係を不揃いにすることができる。また、一方の透明電極の複数種のスリットのスリットピッチが他方の透明電極の複数種のスリットのスリットピッチと全て異なる場合は、各透明電極の複数種のスリットをスリットピッチの長さの順番に配列するようにしても良い。
【発明を実施するための最良の形態】
【００１７】
以下、セグメント表示の垂直配向型液晶表示素子に本発明を適用した実施形態について説明する。この液晶表示素子は、図１に示す如く、ガラス製の背面側基板１と、背面側基板１に対向するガラス製の前面側基板２とを備えており、両基板１，２間に液晶層３が設けられている。背面側基板１上にはセグメント電極となる背面側透明電極４が設けられ、前面側基板２上にはコモン電極となる前面側透明電極５が設けられている。そして、両透明電極４，５が液晶層３を挟んで重なり合い、この重なり合う部分で表示領域が形成される。また、両透明電極４，５の表示領域に合致する部分には、夫々、細長形状のスリット６，７が後述する如く複数形成されている。
【００１８】
液晶表示素子の製造に際しては、各基板１，２上に各透明電極４，５を覆うようにして垂直配向膜を塗布焼成し、次いで、各基板１，２にメインシール材を塗布し、更に、所定の直径のギャップコントロール材を散布した後、両基板１，２を重ね合わせてメインシール材を硬化させる。次に、両基板１，２間の空セルに液晶を注入して液晶層３を形成する。液晶層３の液晶分子８は垂直配向膜の作用で垂直配向される。その後、背面側基板１の外側に背面側偏光板９を貼り合わせると共に、前面側基板２の外側に視角補償板１０と前面側偏光板１１とを重ねて貼り合わせる。ここで、図２に示す如く、背面側偏光板９の透過軸９ａと前面側偏光板１１の透過軸１１ａとは直交しており、そのためノーマルブラックの液晶表示素子となる。また、スリット６，７の長手方向は図２の上下方向であり、両偏光板９，１１の透過軸９ａ，１１ａに対し４５°の角度で斜交している。
【００１９】
図３を参照して、背面側透明電極４に形成する実線示のスリット６と前面側透明電極５に形成する点線示のスリット７とは、夫々、スリット長手方向に間隔を存して並び、且つ、スリット６とスリット７とがスリット短手方向に交互に配置される。そのため、電圧印加時に、各スリット６，７を境にして傾き方向が逆になる斜め電界が発生し（図６参照）、液晶分子８が各スリット６，７を境にして逆方向に倒れ込み（図７参照）、所謂２ドメイン配向構造が実現されて、視角特性が改善される。
【００２０】
ここで、スリット長手方向の複数のスリットの並びをスリット列６Ｌ，７Ｌとして、背面側透明電極４の各スリット列６Ｌに属するスリット６間の各間隔部６ａと、該各スリット列６Ｌに対しスリット短手方向に隣接する前面側透明電極５の各スリット列７Ｌに属するスリット７間の各間隔部７ａとのスリット長手方向における相対位置関係は不揃いになっている。より具体的には、スリット６とスリット７とでスリットピッチ（スリットの長さにスリット間の間隔部の長さを加えた長さ）を相違させ、スリット６間の各間隔部６ａに対するスリット７間の各間隔部７ａのスリット長手方向のずれ量が一定にならないようにしている。
【００２１】
これによれば、スリット短手方向に隣接するスリット６，７のエッジ間を結ぶディスクリネーションラインから成る表示不良が発生しても、表示不良の配列は不規則になる。その結果、表示不良が規則正しい配列で発生した場合に比較して、表示のざらつき感は小さくなる。これを確かめるため、スリット６のスリットピッチに対するスリット７のスリットピッチの倍率を変えた種々の液晶表示素子を製作し、これら各液晶表示素子について、電圧印加当初の表示を目視で評価（初期点灯評価）すると共に、８５℃の雰囲気下で５００時間通電し続けた時の表示を目視で評価（高温通電後評価）する実験を行い、下記表１の結果を得た。
【００２２】
【表１】
0004781866.tif 000002
【００２３】
尚、何れの液晶表示素子においても、垂直配向膜は日産化学工業製ＳＥ−１２１１、液晶層３の厚さは４μｍ、液晶はメルク社製の複屈折率０．１５の液晶、視角補償板１０は住友化学工業製ＶＡＣ−１８０フィルムであり、また、スリット列６Ｌとスリット列７Ｌとの間隔は４０μｍ、スリット６の幅とスリット７の幅は共に２０μｍ、スリット６の間隔部６ａの長さとスリット７の間隔部７ａの長さは共に２０μｍ、スリット６の長さは８０μｍである。また、表１中の倍率が１の液晶表示素子は、スリット７の長さを８０μｍとして、スリットピッチをスリット６のスリットピッチと同一の１００μｍにしたものであり、図８に示す従来例に相当する。図３に示したものは、スリット７の長さを１２０μｍとして、スリット６のスリットピッチに対するスリット７のスリットピッチの倍率を１．４にしたものである。
【００２４】
表１から、倍率が１のものに比較して、１以外の倍率のもの、即ち、背面側透明電極４のスリット６のスリットピッチと前面側透明電極５のスリット７のスリットピッチとが互いに異なるものは表示品位が改善されていることが分かる。更に詳細に分析すると、１以外の倍率のものでも、倍率が整数になるものと比較して、整数以外の倍率のものの方が表示品位の改善効果が高いことが分かる。これは、整数以外の倍率にすることで、上述したようにスリット６間の間隔部６ａとスリット７間の間隔部７ａとのスリット長手方向における相対位置関係が不揃いになり、表示不良が発生しても、表示不良の配列が不規則になって、ざらつき感として視認され難くなるためと考えられる。従って、倍率は１．１以上の整数以外の値にすることが望まれる。
【００２５】
また、表１から、倍率が大きい方が表示品位が良くなる傾向にあることが分かる。これは、表示不良がスリット７のエッジを起点にしてこれに近接するスリット６のエッジとの間を結ぶように発生するため、倍率が大きくなりスリット７の長さが長くなるほど、発生する表示不良の絶対数が減るためと考えられる。以上のことから、倍率は１．４以上にすることが望ましい。尚、表示領域の寸法によりスリット７の長さが制限され、また、スリット７を長くするほど間隔部７ａの数が減少して電極抵抗が増加するため、スリット７の長さはあまり長くできない。従って、倍率は１０倍以下、好ましくは５倍以下にすべきである。
【００２６】
次に、第２実施形態の液晶表示素子について説明する。この液晶表示素子は上記第１実施形態と同様のセグメント表示の垂直配向型液晶表示素子であり、その断面構造及び偏光板９，１１の透過軸９ａ，１１ａの方向は図１、図２と同一である。また、第１実施形態と同様に、垂直配向膜は日産化学工業製ＳＥ−１２１１、液晶層３の厚さは４μｍ、液晶はメルク社製の複屈折率０．１５の液晶、視角補償板１０は住友化学工業製ＶＡＣ−１８０フィルムであり、スリット列６Ｌとスリット列７Ｌとの間隔は４０μｍ、スリット６の幅とスリット７の幅は共に２０μｍ、スリット６の間隔部６ａの長さとスリット７の間隔部７ａの長さは共に２０μｍ、スリット６の長さは８０μｍである。
【００２７】
第２実施形態の第１実施形態との相違点は、前面側透明電極５に、図４に示す如く、背面側透明電極４のスリット６のスリットピッチに対するスリットピッチの倍率が互い異なる複数種のスリット７を混在させて形成した点である。より具体的に説明すると、前面側透明電極５のスリット７のスリットピッチを背面側透明電極４のスリット６のスリットピッチ（１００μｍ）の１．４倍から５倍までの範囲内でランダムに設定し、これらスリットピッチの異なるスリット７をスリットピッチの長さに関係なくランダムに配列している。これにより、背面側透明電極４の各スリット列６Ｌに属するスリット６間の各間隔部６ａと、該各スリット列６Ｌに対しスリット短手方向に隣接する前面側透明電極５の各スリット列７Ｌに属するスリット７間の各間隔部７ａとのスリット長手方向における相対位置関係が不揃いになる。
【００２８】
この場合、前面側透明電極５のスリット７を全てスリットピッチの異なるものにしても良く、また、２０個といったある程度の数のスリット７をスリットピッチの異なるものにし、これらスリットピッチが互いに異なるスリット７の配列を一つのブロックとして、このブロックを繰り返すようにしても良い。実際、スリット７を全てスリットピッチの異なるものにするには設計上非常に工数がかかるため、後者の方が好ましい。
【００２９】
尚、第２実施形態では、スリットピッチが互いに異なるスリット７をスリットピッチの長さに関係なくランダムに配列しているが、これらスリット７をスリットピッチの長さの順番に配列しても良い。また、一部のスリット７のスリットピッチはスリット６のスリットピッチの整数倍であっても良い。
【００３０】
第２実施形態の液晶表示素子について、電圧印加当初の表示を目視で評価（初期点灯評価）すると共に、８５℃の雰囲気下で５００時間通電し続けた時の表示を目視で評価（高温通電後評価）する実験を行った結果、初期点灯評価は表示品位良好、高温通電後評価はざらつき感が僅かにあるが表示品位良好であった。
【００３１】
次に、第３実施形態について説明する。この液晶表示素子は上記第１，２実施形態と同様のセグメント表示の垂直配向型液晶表示素子であり、その断面構造及び偏光板９，１１の透過軸９ａ，１１ａの方向は図１、図２と同一である。また、第１，２実施形態と同様に、垂直配向膜は日産化学工業製ＳＥ−１２１１、液晶層３の厚さは４μｍ、液晶はメルク社製の複屈折率０．１５の液晶、視角補償板１０は住友化学工業製ＶＡＣ−１８０フィルムであり、スリット列６Ｌとスリット列７Ｌとの間隔は４０μｍ、スリット６の幅とスリット７の幅は共に２０μｍ、スリット６の間隔部６ａの長さとスリット７の間隔部７ａの長さは共に２０μｍである。
【００３２】
第３実施形態では、図５に示す如く、前面側透明電極５にスリットピッチが互いに異なる複数種のスリット７を混在させて形成すると共に、背面側透明電極４にもスリットピッチが互いに異なる複数種のスリット６を混在させて形成している。より具体的には、背面側と前面側の各透明電極４，５のスリット６，７のスリットピッチを１００μｍから４００μｍまでの範囲内でランダムに設定し、これらスリットピッチの異なるスリット６，７を各透明電極４，５にスリットピッチの長さに関係なくランダムに配列している。これにより、背面側透明電極４の各スリット列６Ｌに属するスリット６間の各間隔部６ａと、該各スリット列６Ｌに対しスリット短手方向に隣接する前面側透明電極５の各スリット列７Ｌに属するスリット７間の各間隔部７ａとのスリット長手方向における相対位置関係が不揃いになる。
【００３３】
この場合、スリット６，７を全てスリットピッチの異なるものにしても良く、また、２０個といったある程度の数のスリット６，７をスリットピッチの異なるものにし、これらスリットピッチが互いに異なるスリット６，７の配列を一つのブロックとして、このブロックを繰り返すようにしても良い。実際、スリット６，７を全てスリットピッチの異なるものにするには設計上非常に工数がかかるため、後者の方が好ましい。
【００３４】
尚、背面側透明電極４のスリットピッチが互いに異なる複数種のスリット６の一部又は全部のスリットのスリットピッチが前面側透明電極５のスリットピッチが互いに異なる複数種のスリット７のスリットピッチの一部又は全部のスリットピッチと等しくても、これら複数種のスリット６，７をスリットピッチの長さに関係なくランダムに配列し、或いは、背面側透明電極４のスリット６をスリットピッチの短いもの又は長いものから順に配列し、前面側透明電極５のスリット７をスリットピッチの長いもの又は短いものから順に配列することで上記相対位置関係を不揃いにすることができる。また、背面側透明電極４の複数種のスリット６のスリットピッチが前面側透明電極５の複数種のスリット７のスリットピッチと全て異なる場合は、各透明電極４，５の複数種のスリット６，７をスリットピッチの長さの順番に配列するようにしても良い。
【００３５】
第３実施形態の液晶表示素子について、電圧印加当初の表示を目視で評価（初期点灯評価）すると共に、８５℃の雰囲気下で５００時間通電し続けた時の表示を目視で評価（高温通電後評価）する実験を行った結果、初期点灯評価は表示品位良好、高温通電後評価はざらつき感が僅かにあるが表示品位良好であった。
【００３６】
尚、第２，３実施形態のようにスリットピッチが互いに異なる複数種のスリット６，７を混在させて形成する場合、スリット長手方向の長さが一番短くなる表示領域に関して、抵抗値が十分小さくなるように最大のスリットピッチを決定すれば、各表示領域毎にスリットピッチを調べて抵抗値を検討するというような多大な工数をかけずに透明電極４，５を設計することができる。
【００３７】
また、一般的に、透明電極のスリット長手方向の長さはセグメント電極となる背面側透明電極４よりもコモン電極となる前面側透明電極５の方が長い。従って、スリットピッチが異なる複数種のスリットを形成する透明電極が一方の透明電極のみである場合には、この一方の透明電極として第２実施形態のように前面側透明電極（コモン電極）５を選択することが望ましい。
【００３８】
以上、セグメント表示の垂直配向型液晶表示素子に本発明を適用した実施形態について説明したが、ドットマトリックス表示の液晶表示素子やＴＮ型等の水平配向型の液晶表示素子にも本発明は適用できる。更に、ＴＦＴ等のスイッチング素子を用いたアクティブマトリックスタイプの液晶表示素子であって、オフ電圧が液晶分子が動き始める電圧以上に設定されているものにも本発明を適用できる。
【図面の簡単な説明】
【００３９】
【図１】本発明の第１実施形態の液晶表示素子の模式的断面図。
【図２】第１実施形態の液晶表示素子の偏光板の透過軸の方向を示す説明図。
【図３】第１実施形態の液晶表示素子のスリットの配列を示す説明図。
【図４】第２実施形態の液晶表示素子のスリットの配列を示す説明図。
【図５】第３実施形態の液晶表示素子のスリットの配列を示す説明図。
【図６】斜め電界の発生状況を示す断面図。
【図７】斜め電界による液晶分子の挙動を示す説明図。
【図８】従来例のスリットの配列を示す説明図。
【図９】表示不良の部分を示す図。
【図１０】図９のＡ−Ａ線切断部での液晶分子の配向を示す説明図。
【符号の説明】
【００４０】
１…背面側基板、２…前面側基板、３…液晶層、４…背面側透明電極、５…前面側透明電極、６…背面側透明電極のスリット、７…前面側透明電極のスリット、６Ｌ，７Ｌ…スリット列、６ａ，７ａ…スリット間の間隔部。
【図１】
0004781866.tif 000003
【図２】
0004781866.tif 000004
【図３】
0004781866.tif 000005
【図４】
0004781866.tif 000006
【図５】
0004781866.tif 000007
【図６】
0004781866.tif 000008
【図７】
0004781866.tif 000009
【図８】
0004781866.tif 000010
【図９】
0004781866.tif 000011
【図１０】
0004781866.tif 000012